(57)【要約】投与装置（１）は、缶体（３）と定量服用分放出バルブ（４）とを備えた薬剤の供給源（２）を有している。バルブの出口弁軸（５）は投与装置の本体（７）内にある接合ブロック（６）に嵌め込まれ、それに、呼吸作動による服用分放出機構（８）が、ノズル（９）を介して薬剤を放出するために連結されている。缶体は、その側壁（１２）に緊密な音響的接触状態で付設された音響変換器（１１）を有している。缶体には、さらに、検出回路とＬＣＤ表示器（１５）のためのドライバとからなる電子組立て品（１４）が取り付けられ、変換器が回路に接続されている。検出回路は、ＬＣＤ上に表示されたカウントを、缶体から１回の服用分を投与／計量する音響を検出する毎に一つ減数させるように配置されている。検出回路は、音響のスペクトルを既知の服用分投与スペクトルと比較し、その比較に従って計数器を減数させるようプログラムされている。計数器は、製造者の提示による缶体からの服用分の総数から開始し、それによって、使用者は、あと何回分の服用分が投与可能に残存し、そして新しい投与装置が何時必要とされるのかを知ることができる。
2004522514.tif 000002
【特許請求の範囲】
【請求項１】
連続服用として吸入される薬剤等の投与装置において、
マウスピースに至る吸入通路を備えた投与装置本体と、
吸入通路の上流端に配設された薬剤の加圧供給源と、
加圧供給源の弁軸を受けると共に吸入のために加圧された薬剤を案内するための本体内にある接合部と、
加圧供給源からの服用分の放出を制御する手段と、
吸入のための服用分の放出と連動する投与装置内のガス流動を検出するための変換器と、そして
変換器による各流動の検出に従って増数又は減数されるように配設された計数器とからなることを特徴とする投与装置。
【請求項２】
請求項１に記載の投与装置において、
供給源が、計量室を有する定量服用分放出缶体であり、
服用分放出制御手段が、缶体方向への弁軸の沈み込み時に計量室から一回の服用分を放出するように配設された缶体内のバルブであり、
接合部が、放出された服用分をマウスピースの方に向わせるための単一のノズルを含み、本体内における缶体の押し下げ時に服用分が放出され、そして
変換器が、一回の服用分の放出時における缶体内の又は缶体からのガス流動の音響を検出するように配設された音響変換器である投与装置。
【請求項３】
請求項１に記載の投与装置において、
供給源が、計量室を有する定量服用分放出缶体であり、
服用分放出制御手段が、接合部の下流における呼吸作動放出機構であり、吸入時に該機構から服用分が放出され、
接合部が、缶体から呼吸作動放出機構への連結部を含み、本体内における缶体の押し下げ時に服用分が放出され、そして
変換器が、一回の服用分の放出時における缶体内の又は缶体からのガス流動の音響を検出するように配設された音響変換器である投与装置。
【請求項４】
請求項２又は３に記載の投与装置において、
計数器が、投与装置の使用中における特有のガス流動のスペクトルを判別し、そのような判別に応じて計数器を増数／減数させるように適合された投与装置。
【請求項５】
請求項２、３又は４に記載の投与装置において、
音響変換器が、缶体内の計量室への或いは該計量室からのガス流動を検出するために、缶体と音響的接触状態で、好ましくはその側壁に配設された投与装置。
【請求項６】
請求項２、３又は４に記載の投与装置において、
音響変換器が、缶体の下流におけるガス流路内のガス流動を検出するために、投与装置本体と音響的接触状態で配設された投与装置。
【請求項７】
請求項１に記載の投与装置において、
供給源が、計量室を有する定量服用分放出缶体であり、
服用分放出制御手段が、接合部の下流における呼吸作動放出機構であり、吸入時に該機構から服用分が放出され、
接合部が、缶体から呼吸作動放出機構への連結部を含み、本体内における缶体の押し下げ時に服用分が放出され、そして
変換器が、本体内の吸入ガス流動を検出するように配設された投与装置。
【請求項８】
請求項７に記載の投与装置において、
呼吸作動放出機構が、吸入流動により作動する放出フラップを含み、
変換器が、フラップの運動を検出するように配設された投与装置。
【請求項９】
請求項７に記載の投与装置において、変換器が、それを通る吸入ガスの流動を検出するように配設された流動変換器である投与装置。
【請求項１０】
請求項９に記載の投与装置において、変換器が、吸入流路内に延びる翼板であって、流動により該翼板を挟んで生じる圧力差を検出するように適合された翼板からなる投与装置。
【請求項１１】
請求項１０に記載の投与装置において、翼板が圧電フィルム材料からなる投与装置。
【請求項１２】
請求項７に記載の投与装置において、変換器が、それを通る吸入ガスの流動をそれと接触状態にあるガスの温度変化として検出するように配設された温度変換器である投与装置。
【請求項１３】
請求項１２に記載の投与装置において、温度変換器が圧電フィルム材料からなる投与装置。
【請求項１４】
請求項１〜１３の何れかに記載の投与装置において、計数器は、使用者が薬剤を肺内部に引き込むために吸入し続け、或いは少なくとも吸気を保持するべき服用分放出からの時間間隔を指示するための指示器、好ましくは音響又は視覚による指示器と協働させられた投与装置。
【請求項１５】
請求項１〜１４の何れかに記載の投与装置において、計数器が取り外し可能に投与装置に設けられ、それによって、計数器は、最初の投与装置の缶体が予定された回数の服用分を放出してしまった後に別の投与装置に付設されることができるようにした投与装置。
【請求項１６】
請求項１〜１５の何れかに記載の投与装置において、計数器が、第一の現象の検出時に計数器の状態を静止から活動に変更し、第二の現象の検出時に計数器を増数／減数させるように配設された投与装置。
【請求項１７】
請求項１６に記載の投与装置において、そのような第一の現象と第二の現象を検出するために単一の変換器からなる投与装置。
【請求項１８】
請求項１６に記載の投与装置において、二つの変換器からなり、一方がそのような第一の現象を検出し、他方がそのような第二の現象を検出するためのものである投与装置。
【請求項１９】
請求項１８に記載の投与装置において、マウスピースカバーを含み、一方の変換器がカバーの開放を検出するように適合且つ配設され、他方の変換器がガス流動検出変換器である投与装置。
【請求項２０】
請求項３又は７又はそれらに付随するその他の請求項に付随する請求項１９に記載の投与装置において、
カバーが、カバーの開放時に一回の服用分を供給源から呼吸作動放出機構に放出し、呼吸作動による服用分放出なしのカバーの閉鎖時に該服用分をそこから放出するように適合且つ配設され、そして
計数器が、そのような閉鎖の場合に増数／減数するように配設された投与装置。
【請求項２１】
請求項１〜２０の何れかに記載の投与装置のための計数器及び変換器において、
吸入のための一回の服用分の放出と連動する投与装置内のガス流動を検出するための変換器と、
変換器による各流動の検出に従って増数又は減数するように配設された計数器とからなる計数器及び変換器。
【発明の詳細な説明】
【技術分野】
【０００１】
本発明は、連続服用として吸入される薬剤等を投与する装置であって、該服用分のための計数器を備えた投与装置と、そのための計数器に関する。
【背景技術】
【０００２】
実例として、本出願人の先行する国際特許出願ＰＣＴ／ＧＢ９８／００７７０の中には、少なくとも、ヨーロッパ地域への国内段階出願手続に際して補正されたように、ガス状物質、ガス媒介物質又は液滴状物質のための投与装置について説明され且つ請求の範囲に記載されている。
【０００３】
前記投与装置は、
端部に吸入／吐出しオリフィスを備えたマウスピースを有する本体と、
前記物質からなるか或いはそれらの物質を含むガス又は蒸発性液体の（本体により保持された）供給源のための本体内にある接合部と、そして
前記ガス又は液体の放出を制御するための呼吸作動可能バルブとからなり、
さらに該呼吸作動バルブは、
接合部に連結されたバルブ入口と、
バルブ出口と、
前記ガス又は液体を受容するために接合部からバルブ入口とバルブ出口の間に延設され、バルブの閉鎖のためにチューブが折れ曲り状態にある閉鎖位置と、バルブの開放のためにチューブが非折れ曲り状態にある開放位置との間を移動し得る部分を有する可撓性チューブと、
チューブの可動部分を移動させてチューブの折れ曲りを制御するためのものであり、吸入の動作により、停止位置からオリフィスに向って或いは少なくとも投与装置を通る空気流の方向に運動するために本体内に移動可能に設けられた可動部材とからなり、
該チューブは、可動部材が停止位置にある時は閉塞する程度まで折れ曲り状態にされると共に、可動部材がガス又は液体の放出のための吸入に際して動かされる時には非折れ曲り状態にされるようにしたものである。
【０００４】
このような投与装置の供給源は、典型的には加圧缶体であり、各吸入時に投与される物質の服用分を計量するためのバルブを備えている。なお、この投与装置又はこれと類似の投与装置で、供給源により計量されずに、供給源からの物質の放出時に供給源と投与装置のバルブとの間のダクトを満たすことで、投与装置により定量服用分を投与するものも考えられる。
【０００５】
例えば、投与された服用分の数、或いはより日常的には今後投与され得る、既知成分と効力を有する服用分の数について使用者に警告するために、供給源から投与される服用分の数を計数することには、ますます関心がもたれていた。
【特許文献１】国際特許出願ＰＣＴ／ＧＢ９８／００７７０
【特許文献２】国際特許出願ＰＣＴ／ＧＢ０１／０３３１３
【発明の開示】
【発明が解決しようとする課題】
【０００６】
本発明の目的は、このような供給源と投与装置のための改良された計数器を提供することにある。
【課題を解決するための手段】
【０００７】
本発明の第一の態様によれば、
マウスピースに至る吸入通路を備えた投与装置本体と、
吸入通路の上流端に配設された薬剤の加圧供給源と、
加圧供給源の弁軸を受けると共に吸入のために加圧された薬剤を案内するための本体内にある接合部と、
加圧供給源からの服用分の放出を制御する手段と、
吸入のための服用分の放出と連動する投与装置内のガス流動を検出するための変換器と、そして
変換器による各流動の検出に従って増数又は減数されるように配設された計数器とからなる投与装置が提供される。
【０００８】
一つの実施態様においては、供給源が定量服用分放出缶体であり、接合部が、放出された服用分をマウスピースの方に向わせるための単一のノズルを含み、本体内における缶体の押し下げ時に服用分が放出されるようにしている。変換器は、一回の服用分の放出時における缶体からのガス流動の音響を検出するように配設された音響変換器である。
【０００９】
呼吸作動による放出に先立って缶体からの服用分の予備的な放出を検出するために、缶体からのガス流動を検出する音響変換器が呼吸作動投与装置内に設けられることも同様に想定される。
【００１０】
好都合なことに、計数器は、投与装置の使用中における特有のガス流動のスペクトルを判別するように適合されている。音響変換器は、缶体内の計量室への或いは該計量室からのガス流動を検出するために、缶体と音響的接触状態で、好ましくはその側壁に配設されてもよい。或いはそれに代えて、音響変換器は、投与装置内の中間室への或いは該中間室からのガス流動を検出するために、投与装置本体と音響的接触状態で配設されてもよい。
【００１１】
他の実施態様においては、供給源が定量服用分放出缶体であり、接合部が呼吸作動による服用分放出機構への連結を与える。変換器は、該機構に缶体からの服用分の予備的な放出に続いて服用分を放出させる吸入時にガス流動を検出するように配設された検出器である。
【００１２】
本発明の著しい特徴によれば、計数器は、使用者が薬剤を肺内部に引き込むために吸入し続け、或いは少なくとも、薬剤を肺内膜上に定着させるように肺内部に吸気を薬剤と共に保持するべき服用分放出からの時間間隔を指示するための指示器、典型的には音響又は視覚による指示器と協働させられる。
【００１３】
別の特徴によれば、計数器は取り外し可能に投与装置に設けられ、それによって、計数器は、最初の投与装置の缶体が予定された回数の服用分を放出してしまった後に別の投与装置に付設されることができる。
【００１４】
さらに、検出器は、第一の現象の検出時に計数器の状態を静止から活動に変更し、第二の現象の検出時に計数器を増数／減数させるように配設されてもよい。検出器は、このような二段階動作のための単一の変換器からなるものでもよく、或いは各段階に一つの変換器が対応する二つの変換器が配備されることもできる。
【００１５】
本発明の別の態様によれば、本発明の第一の態様による投与装置のための計数器及び変換器が提供される。
これらの計数器及び変換器は、
吸入のための一回の服用分の放出と連動する投与装置内のガス流動を検出するための変換器と、そして
変換器による各流動の検出に従って増数又は減数するように配設された計数器とからなるものである。
【００１６】
計数器は、単に計数するためだけに配置されることもできる。しかしながら、その他の機能、特に、吸入と吸気排出の間の遅延を計時して肺内部における薬剤の堆積のための時間を与えるためのタイマの初期化もまた実行されてもよいと考えられる。
【発明を実施するための最良の形態】
【００１７】
本発明の理解に資するために、本発明の実施態様を、実施例により、添付図面に照らして説明する。
図１は、本発明に係る計数器を備えた投与装置の部分切欠き側面図である。
図２は、投与装置の端面図である。
図３（ａ）及び図３（ｂ）は、カバーが各々閉鎖された状態及び開放された状態における第二の投与装置の斜視図である。
図４（ａ）乃至図４（ｄ）は、カバーが各々閉鎖された状態、半分引き起こされた状態、引き起こされた状態及び投与装置の状態における第二の投与装置の断面図である。
【００１８】
図１及び２を参照すると、投与装置１は、缶体３と定量服用分放出バルブ４とを備えた薬剤の供給源２を有している。バルブの出口弁軸５は投与装置の本体７内にある接合ブロック６に嵌め込まれ、該ブロックに、呼吸作動による服用分放出機構８が、薬剤の放出のためにノズル９を介して連結されている。服用分放出機構は本発明の主要部分を形成していないので、ここでは詳述されない。それは、本出願人の国際特許出願ＰＣＴ／ＧＢ０１／０３３１３におけるように形成できたものであり、事実、図１及び２は、その開示内容における第二の実施態様（図６以下参照）に基いている。
【００１９】
缶体は、その側壁１２に緊密な音響的接触状態で付設された音響変換器１１を有している。缶体には、さらに、検出回路とＬＣＤ表示器１５のドライバとからなる電子組立て品１４が取り付けられ、変換器が該回路に接続されている。変換器、検出回路、ドライバ及び表示器の選択は、全て当業者の能力範囲内のことであると思われるので、ここでは詳述されない。
【００２０】
検出回路は、ＬＣＤ上に表示されたカウントを、缶体から１回の服用分を投与／計量するときの音響を検出する毎に一つ減数させるように配置されている。偽の音響が１回の服用分の指示として検出されることを避けるために、検出回路は、音響のスペクトルを既知の服用分投与スペクトルと比較し、その比較に従って計数器を減数させるようプログラムされている。計数器は、製造者の提示による缶体からの服用分の総数から開始し、それによって、使用者は、あと何回分の服用分が投与可能に残存し、そして新しい投与装置が何時必要とされるのかを知ることができる。
【００２１】
図１及び２の投与装置における呼吸作動による服用分放出機構は、投与装置の動作において主要な役割を果たすものではないことに注目すべきである。むしろ、変換器が、缶体の内部計量室（詳細には図示されない）から放出機構８へと服用分が分配されるときの音響を検出するために配設され、計量室は、定量服用分放出バルブ４と出口弁軸５を有する缶体の標準形態のものである。弁軸の沈み込み時には、計量室内に保持されていた１回の服用分が弁軸を通って放出され、弁軸の開放時には、弁軸が弾力的に復帰し、計量室が再び補充されるように配備されている。このために、缶体は、使用時と上下逆に引っ繰り返される必要がある。このことは、弁軸の沈み込み末期に関して特に注目され、それは、この文脈において、缶体内部への弁軸の上昇運動を含んでいる。
【００２２】
また、計量室を再充填するときの音響を認識するために、変換器、或いはむしろ計数器における音響認識ファームウエアが配設され得ることも注目すべきである。しかしながら、該計量室が空になるときの音響の方がより差別的であり、より簡単に認識されるものと思われる。また、ファームウエアが両方の音響を確認し、その他の確認された音響の発生時のみ計数器を減数させることも考えられる。
【００２３】
この実施態様に対する更なる変形が考えられる。例えば、計数器は、提示された最大値に向って表示カウントを増数させるように配設されることができる。また、変換器、電気回路構成部分及び表示器が、呼吸作動機構における缶体の弁軸７と屈曲バルブ２１の間にある中間室２０への流動を検出するために、本体７上のような他の個所に配設されることもでき、それによって、本体上の変換器は、加圧された服用分がノズルを通って分配されるときの音響を認識することができる。
【００２４】
図３（ａ）から図４（ｄ）を参照すると、そこには更なる定量服用分吸入器が示され、これは、本出願人の国際特許出願ＰＣＴ／ＧＢ０１／０３３１３の第三実施態様、即ちその図１３から図１７の実施態様に基いている。そこに示された投与装置は、マウスピース２０２と、枢支されたマウスピースカバー２０３を付設した本体２０１を有している。マウスピースは、主本体部２０１１に取り付けられた別体部２０１２内部に、開口部２０２１として形成されている。マウスピース部分は、カバーの開放時に露出される空気入口を画定するために、本体に付設された薬剤用缶体２１１に対して切り離された部分２０１４である。カバーは、本体低部における２つの本体部材間の接合部において軸２０４を中心に枢着されている。
【００２５】
缶体２１１は、主本体部２０１１の上端における開口部２１０内に、本体部の側壁における開口部２１０２内の一対の位置決めピン２１０１により保持されている。ピンは、缶体にその閉鎖カラーを保持するために形成された溝２１５内への嵌合により、缶体を本体に対して明確に位置付けている。このようにして、缶体と本体２０１は、緊密に連結されている。また、本体内部には、内部リブ２１６が成形されている。接合部材２１７は、リブを溝２１８内にその外縁において嵌合させて、本体内に摺動可能に収容されている。中心において、接合部材は、缶体の出口弁軸２２１のためのソケット２２０を有している。ソケットは、通路２２２により延長され、この通路は、薄い壁の折れ曲げ可能部分２２３とノズル端部２２４を備えている。これは、接合部材におけるバルブ部分２１７２の可動出口部材２２５内にある。接合部材２１７の主部２１７１とバルブ部分２１７２はリビングヒンジにより連結されている。出口部材の両側に平坦部２２５１が配備され、これらは呼吸作動フラップ２２８のための基台を形成し、平坦部の外端においてリビングヒンジ部分と連結されている。ラグ２２７は、一対のカムローブ２０５２の間から延びるカムフィンガ２３２と歯合するために、出口部材から垂れ下がっている。
【００２６】
接合部材におけるソケット２２０の何れかの側に対して、それは２つの垂れ下がりフィンガ２３０をそれらの遠端２３０１においてカムローブと協働するように配設させている。これらは、缶体の内部スプリング（図示されない）の圧力下に、２つの板スプリング２０１９を介して、カムローブ２０５２と隣接している。
【００２７】
投与装置の動作は、次のように行なわれる。
カバーを、カム部材の軸の回りに遥動させることにより開放させると、カムフィンガ２３２がラグ２２７と接触しつつ作動し、出口部材を、フラップ２２８が持ち上げられると共に折れ曲げ可能部分２２３が閉鎖される位置まで移動させる。この位置では、屈曲チューブが折れ曲げられ、そこに放出されようとする服用分を通過させることはない。
【００２８】
さらに、カバーの開放により、カムローブ２０５１、２０５２が接合部材と弁軸２２１を缶体の方向に上昇させる。これにより、服用分が缶体から屈曲チューブ内に放出され、屈曲チューブはそれを保有する。カバーは、本体との接触により停止し、使用に向けて機構が準備され、整えられる。
【００２９】
マウスピースを介して吸入することにより、空気が空気入口２０１４からフラップを横切って、即ちフラップ端縁を囲むように吸引され、圧力差が発生する。フラップの中央より上方へのスプリング保持力が抑制され、フラップが急下降し、出口ノズルがマウスピース内部に向けられる時に服用分を分配する。ここで、ラグ２２７がこの位置ではカムフィンガ２３２から制約されていないので、フラップは制約なしに動くことができる。
【００３０】
機構は、マウスピース上へのカバーの閉鎖によりリセットされる。接合部材は、缶体バルブスプリングの作用と主たるカムローブの制御の下に降下する。カムフィンガ２３２とフラップラグ２２７は、それらの背面、即ちカバーの開放時にフラップの上昇を引き起こす面と反対側の面で係合する。このような係合は必要とされるものではなく、該面は図１２に示されるように相補的な楔形状を備え、それによってローブとラグがわき道に偏位して互いに通過する。この偏位は、ラグに抗力をもたらし、フラップをその開放位置に保持する。各々偏位のために薄くされたローブとラグが次の使用のために再度係合することを確実にするように、それらの前面は相補的なＶ形エッジを備えている。
【００３１】
カバーを閉鎖する動作は、（フラップが缶体方向に旋回させられているとすれば）カムフィンガ（図示されない）にフラップフィンガと係合させ、フラップを、ノズル２２４が（閉鎖された）マウスピースに向けられ且つ屈曲チューブが非折れ曲がり状体にされる位置まで旋回させる。
【００３２】
計数器１０１は、缶体２１１に取り外し可能に設けられている。それは、缶体を把持するための大きさを有し、今後、他の缶体に付け替える必要がある場合に取り外し可能なリング１０２からなる。それは、リング内に設けられた計数及びタイミング回路と連結されたＬＣＤ表示器を有している。リングは、２つの変換素子を保持している。第一のものは、カバーが閉鎖されたときにカバーの端縁により当接させられて平坦に保持されるアーチ状の圧電フィルム片１０５である。第二のものは、空気入口を通り、呼吸作動フラップ２２８が図４（ｃ）における起立位置にセットされるときに該フラップにより当接されるように延びる第二の圧電フィルム１０６である。この当接は、フィルムを、平坦状態から復帰する傾向を有する方向に湾曲させる。
【００３３】
カバーの開放時に、第一のフィルム１０５は自由になってそのアーチ状態１０５１を取り戻し、そのようにしながら計数器に「目覚まし」信号を送信する。フラップ２２８はその起立状態にセットされ、第二のフィルム１０６を湾曲状態１０６１に偏向させる。このことは、該フィルムに計数器への一つの信号を送信させる。これは、無視されるか、或いは追加的な目覚まし信号として使用されることができ、事実、フィルム１０５が存在しない場合には、この信号が計数器に対する目覚まし信号となることができる。吸入時に、２つの効果が結合して第二のフィルム１０６を湾曲させる。最初に、フラップにより強制されていた偏向が取り去られ、次に、吸入空気がフィルムを反対側への湾曲状態１０６２に湾曲させる。この湾曲は、それをして「計数」信号を発生させ、計数器をして、ＬＣＤ表示器１０３上に示される服用分の総数を一つ減数させる。
【００３４】
さらに、計数信号は、計数器にＬＥＤ１０８を点灯させ、使用者に対して吸引を保持すべきこと、或いは少なくとも吐出しないことを指示する。ＬＥＤは、赤色で点灯させられてもよい。薬剤が使用者の肺に達して浮遊状態から定着し始めるに十分な吸入時間、例えば２秒間程の末期に、ＬＥＤは色を緑色に変化させられ、使用者に対して吐出が今や許容されていることを指示する。ＬＥＤは、２音声ブザー１０９により、或いはＬＣＤ表示器からの発光又は他の表示により補われ、或いはそれらと交換されることができる。
【００３５】
使用後に、カバーが閉鎖され、第一のフィルム１０５を平坦化する。第二のフィルム１０６は、静止平坦状態１０６３をとる。第二のフィルムが、静止平坦状態１０６３から呼吸作動フラップ１０６２により強制された偏向状態１０６１に偏向されたときにおける投与装置の分配準備と、吸入ガス流動、即ちこの流動により偏向状態１０６２に翼板のように偏向されるときにおける吸入ガス流動とを共に検出することを注目すべきである。
【００３６】
吸入器が使用されない場合、閉鎖の動作はフラップを開放し、そして呼吸作動機構を休止させる。これは、服用分をカバーの内側に放出させる。浪費されるのは一回の服用分である。第二のフラップの静止状態１０６３への偏向は計数器に一つの信号を通過させるので、計数器はこれを計数することになる。前記信号の通過は、その表示された総数を減数させる。
【００３７】
図示されない変形態様においては、圧電細片１０６が、偏向されるのではなく、吸入時の温度変化を感知するように配設され、そのようにして計数器を減数させるものである。
その他の図示されない変形態様においては、変換器が、カバーと呼吸作動フラップの運動を検出するように配設された近接検出器である。
【図面の簡単な説明】
【００３８】
【図１】本発明に係る計数器を備えた投与装置の部分切欠き側面図である。
【図２】投与装置の端面図である。
【図３（ａ）】カバーが閉鎖された状態における第二の投与装置の斜視図である。
【図３（ｂ）】カバーが開放された状態における第二の投与装置の斜視図である。
【図４（ａ）】カバーが閉鎖された状態における第二の投与装置の断面図である。
【図４（ｂ）】カバーが半分引き起こされた状態における第二の投与装置の断面図である。
【図４（ｃ）】カバーが引き起こされた状態における第二の投与装置の断面図である。
【図４（ｄ）】投与装置の状態における第二の投与装置の断面図である。
【符号の説明】
【００３９】
１  投与装置
２  供給源
３  缶体
４  バルブ
５  出口弁軸
６  接合ブロック
７  本体
８  服用分放出機構
９  ノズル
１１  音響変換器
１２  側壁
１４  電子組立て品
１５  ＬＣＤ表示器
【図１】
2004522514.tif 000003
【図２】
2004522514.tif 000004
【図３（ａ）】
2004522514.tif 000005
【図３（ｂ）】
2004522514.tif 000006
【図４（ａ）】
2004522514.tif 000007
【図４（ｂ）】
2004522514.tif 000008
【図４（ｃ）】
2004522514.tif 000009
【図４（ｄ）】
2004522514.tif 000010
【国際公開パンフレット】
2004522514.tif 000011
2004522514.tif 000012
2004522514.tif 000013
2004522514.tif 000014
2004522514.tif 000015
2004522514.tif 000016
2004522514.tif 000017
2004522514.tif 000018
2004522514.tif 000019
2004522514.tif 000020
2004522514.tif 000021
2004522514.tif 000022
2004522514.tif 000023
2004522514.tif 000024
2004522514.tif 000025
2004522514.tif 000026
2004522514.tif 000027
2004522514.tif 000028
2004522514.tif 000029
【国際調査報告】
2004522514.tif 000030
2004522514.tif 000031
2004522514.tif 000032